(57)【要約】【課題】車輪に傷がつくのを抑えつつ、自転車を縦置きの状態で安定して保持することができるスタンドを提供する。また、簡易な構成で軽量化が可能なスタンドを提供する。【解決手段】スタンドは、自転車を前輪が後輪の上に位置する縦置きの状態で保持するためのスタンドであって、自転車の後輪の床面との接触部よりも自転車のサドル側において、自転車の左右両側で床面に接触する脚部３２を有する支持部材１と、支持部材１に設けられ、左右両側で自転車のハンドルを保持するフック２と、を備える。【選択図】図１
2016078614.tif 000002
【特許請求の範囲】
【請求項１】
自転車を前輪が後輪の上に位置する縦置きの状態で保持するためのスタンドであって、
自転車の後輪の床面との接触部よりも自転車のサドル側において、自転車の左右両側で床面に接触する脚部を有する支持部材と、
前記支持部材に設けられ、左右両側で自転車のハンドルを保持する保持部材と、を備えたことを特徴とするスタンド。
【請求項２】
自転車が前記支持部材から離れないように自転車の一部を支持する移動抑制手段を備えることを特徴とする請求項１に記載のスタンド。
【請求項３】
前記移動抑制手段は、前記支持部材に設けられた自転車のサドルを引っ掛ける引っ掛け部材であることを特徴とする請求項２に記載のスタンド。
【請求項４】
前記移動抑制手段は、自転車のサドルを前記支持部材に固定するバンドであることを特徴とする請求項２に記載のスタンド。
【請求項５】
前記保持部材は、上下方向の位置を調節可能であることを特徴とする請求項１から請求項４のいずれか１項に記載のスタンド。
【請求項６】
前記保持部材は、左右方向の位置を調節可能であることを特徴とする請求項１から請求項５のいずれか１項に記載のスタンド。
【請求項７】
前記支持部材は、下端部が前記脚部を構成する一対の支柱と、前記一対の支柱を連結する連結部を備えてなることを特徴とする請求項１から請求項６のいずれか１項に記載のスタンド。
【請求項８】
前記脚部は、左右方向に延びる棒状に形成されていることを特徴とする請求項１から請求項６のいずれか１項に記載のスタンド。
【請求項９】
前記脚部は、左右一対設けられ、下方に向かうにつれて互いに離れていくように設けられていることを特徴とする請求項１から請求項７のいずれか１項に記載のスタンド。
【発明の詳細な説明】
【技術分野】
【０００１】
本発明は、自転車を前輪が後輪の上に位置する縦置きの状態で保持するためのスタンドに関する。
【背景技術】
【０００２】
従来、自転車を前輪が後輪の上に位置する縦置きの状態で保持し、狭い空間でも駐輪を可能とするスタンドが知られている。例えば、特許文献１に記載されているスタンドは、後輪のタイヤを挟んで保持する下ホルダと、下ホルダの上で前輪のタイヤを挟んで保持する上ホルダとを備えている。また、特許文献２に記載されているスタンドは、後輪を挟んで保持する後輪載置部材と、後輪載置部材の上で前輪のリムに係止される前輪支持部材とを備えている。
【先行技術文献】
【特許文献】
【０００３】
【特許文献１】実用新案登録第３１８９７６８号公報
【特許文献２】特開２０００−３２６８８２号公報
【発明の概要】
【発明が解決しようとする課題】
【０００４】
しかしながら、車輪を構成するタイヤやリム等の部品は傷がつきやすいため、上述した技術では、前輪や後輪に傷がつくおそれがあった。特に、前輪は、自転車のフレームに対して動くため、上述した上ホルダや前輪支持部材に擦れて、傷がつきやすかった。また、上述したスタンドは、いずれも、それ自身で床面上に立つことができるように構成されているため、安定して立つことができるための構成が必要であるとともに、スタンド自体の重量が大きいなどの問題もある。
【０００５】
そこで、本発明は、車輪が傷つくのを抑えつつ、自転車を縦置きの状態で安定して保持することができるスタンドを提供することを目的とする。また、簡易な構成で軽量化が可能なスタンドを提供することを目的とする。
【課題を解決するための手段】
【０００６】
前記した目的を達成するため、本発明のスタンドは、自転車を前輪が後輪の上に位置する縦置きの状態で保持するためのスタンドであって、自転車の後輪の床面との接触部よりも自転車のサドル側において、自転車の左右両側で床面に接触する脚部を有する支持部材と、前記支持部材に設けられ、左右両側で自転車のハンドルを保持する保持部材と、を備えたことを特徴とする。
【０００７】
このように構成されたスタンドによれば、前輪や後輪を保持しなくても自転車を縦置きの状態で保持することができるので、車輪が傷つくのを抑えることができる。また、ハンドルが保持部材によって左右両側で保持されるので、前輪が左右にふらつくことなくスタンドに固定される。これにより、自転車が安定して保持される。また、スタンドがそれ自身で床面上に立つ構成でなくてもよいので、構成が簡易であるとともに、スタンドの重量も軽減することができる。
【０００８】
前記したスタンドは、自転車が前記支持部材から離れないように自転車の一部を支持する移動抑制手段を備えることが望ましい。
【０００９】
このように構成されたスタンドによれば、後輪が動こうとしても、自転車が支持部材から離れないので、自転車が支持部材に対して前後に倒れるのを抑え、自転車を安定して支持することができる。
【００１０】
前記した移動抑制手段を備えるスタンドにおいて、前記移動抑制手段は、前記支持部材に設けられた自転車のサドルを引っ掛ける引っ掛け部材とすることができる。
【００１１】
このように構成されたスタンドによれば、自転車のサドルを引っ掛け部材に引っ掛けるだけでよいので、簡単に自転車を支持部材に支持させることができる。
【００１２】
前記した移動抑制手段を備えるスタンドにおいて、前記移動抑制手段は、自転車のサドルを前記支持部材に固定するバンドであってもよい。
【００１３】
このように構成されたスタンドによれば、自転車のサドルをしっかりと支持部材に固定することができるので、自転車を支持部材でしっかりと支持することができる。
【００１４】
前記したスタンドにおいて、前記保持部材は、上下方向の位置を調節可能であることが望ましい。
【００１５】
このように構成されたスタンドによれば、自転車の大きさに関わらず、自転車のハンドルを保持部材で保持することができる。
【００１６】
前記したスタンドにおいて、前記保持部材は、左右方向の位置を調節可能であることが望ましい。
【００１７】
このように構成されたスタンドによれば、ハンドル周りにアタッチメントを設けている自転車であっても、保持部材の位置を調整することで、アタッチメントを避けてハンドルを保持することができる。
【００１８】
前記したスタンドにおいて、前記支持部材は、下端部が前記脚部を構成する一対の支柱と、前記一対の支柱を連結する連結部を備える構成であってもよい。
【００１９】
前記したスタンドにおいて、前記脚部は、左右方向に延びる棒状に形成されていてもよい。
【００２０】
前記したスタンドにおいて、前記脚部は、左右一対設けられ、下方に向かうにつれて互いに離れていくように設けられていてもよい。
【００２１】
このように構成されたスタンドによれば、支持部材が安定して立つことができるので、支持部材により自転車を安定して保持することができる。
【発明の効果】
【００２２】
本発明によれば、前輪や後輪を保持しなくても自転車を縦置きの状態で保持することができるので、車輪が傷つくのを抑えることができる。また、ハンドルが保持部材によって左右両側で保持されるので、前輪が左右にふらつくことなくスタンドに固定され、自転車を安定して保持することができる。また、スタンドがそれ自身で床面上に立つ構成でなくてもよいので、構成が簡易であるとともに、スタンドの重量も軽減することができる。
【図面の簡単な説明】
【００２３】
【図１】本発明の一実施形態に係る縦置きスタンドを示す斜視図である。
【図２】自転車を縦置きの状態で保持している縦置きスタンドを示す側面図（ａ）と、ハンドルを保持しているフックを示す斜視図（ｂ）である。
【図３】第１の変形例に係る縦置きスタンドを示す正面図（ａ）と、自転車を縦置きの状態で保持している縦置きスタンドを示す側面図（ｂ）である。
【図４】第２の変形例に係る縦置きスタンドを示す斜視図（ａ）と、脚部の変形例を示す斜視図（ｂ）である。
【図５】第３の変形例に係る縦置きスタンドを示す斜視図である。
【発明を実施するための形態】
【００２４】
次に、本発明の一実施形態について適宜図面を参照しながら説明する。
図１に示すように、縦置きスタンドＳは、自転車を前輪が後輪の上に位置する縦置きの状態で保持するためのスタンドである。縦置きスタンドＳは、床面上に立てられる支持部材１と、保持部材の一例としての一対のフック２とを備えている。
【００２５】
支持部材１は、左右に並ぶ一対の支柱３と、一対の支柱３を連結する連結部の一例としての連結部材４とを備えてなる。
【００２６】
各支柱３は、例えば、金属製のパイプを屈曲させてなる。各支柱３は、上下方向に延びる本体部３１と、本体部３１の下端から左右方向外側へ向けて延びる脚部３２とを有している。この一対の支柱３の下端部によって構成される左右一対の脚部３２は、下方に向かうにつれて互いに離れていくように設けられている。
【００２７】
この支柱３は、縦置きスタンドＳを使用していないときにコンパクトにすることができるように、上下に分割可能に構成されていてもよい。
【００２８】
連結部材４は、左右に延びる棒状の部材であり、上下に離れて２本設けられている。各連結部材４は、左右の中央部が略Ｕ字状に屈曲しており、左右の端部が、各支柱３に形成された図示しない孔に圧入されている。このように２本の連結部材４を設けることにより、支持部材１を立てたときに、一方の支柱３が他方の支柱３に対して回動するようにねじれるのを抑えることが可能となっている。そして、各支柱３を連結部材４に沿って移動させることにより、一対の支柱３の間隔を調整することができるようになっている。
【００２９】
そして、連結部材４は、自転車のサドルと略同じ高さ、例えば、支柱３の中央部よりも下の位置に配置され、サドルを引っ掛ける移動抑制手段である引っ掛け部材にもなっている。そのため、各連結部材４は、サドルの位置に合わせられるように、支柱３に対して回動可能であるのが望ましい。また、サドルからかかる重みで回転しない程度に、支柱３と連結部材４の嵌め合いをきつくしておくのが望ましい。
【００３０】
また、図示は省略するが、縦置きスタンドＳは、サドルを各連結部材４に固定するバンドを移動抑制手段としてさらに備えていてもよい。このようにバンドを設けることで、サドルを支持部材１に、よりしっかりと固定することが可能となる。
【００３１】
フック２は、各支柱３に、固定部材５を介して取り付けられている。
固定部材５は、その内側に支柱３が通る略円筒形状を有し、支柱３の上端部に設けられている。この固定部材５は、支柱３に沿って上下方向に移動可能に形成されている。また、固定部材５は、固定具５１によって支柱３に固定されるようになっている。固定具５１としては、例えば、蝶ボルトを採用することができる。
【００３２】
フック２は、固定部材５と一体に形成され、固定部材５から支柱３の径方向外側に延びた後、先端が上方を向くように延びている。このフック２は、固定部材５を支柱３に対して上下方向に移動させることで、上下方向の位置を調整可能となっている。また、フック２は、一対の支柱３の間隔を変えることで、左右方向の位置を調整可能となっている。
【００３３】
次に、縦置きスタンドＳの使い方について説明する。
自転車Ｂを図２（ａ）に示すような縦置きにするとき、まず、自転車Ｂを縦置きにしていない通常の状態、つまり、前輪ＦＷと後輪ＲＷが床面Ｆについた状態で、自転車Ｂに縦置きスタンドＳを取り付ける。
【００３４】
具体的には、支持部材１を横にして自転車Ｂの上に載せる。そして、図２（ｂ）に示すように、フック２をハンドルＨに引っ掛け、図２（ａ）に示すように、サドルＳＤを一対の連結部材４に引っ掛ける。このとき、連結部材４を回動させて、サドルＳＤが引っ掛けやすい位置に連結部材４を移動させるとよい。例えば、図２（ａ）に示すように、サドルＳＤが支柱３の位置まで届かない場合には、連結部材４を支柱３から自転車Ｂ側へ出っ張らせるとよい。また、例えば、サドルＳＤが支柱３から飛び出す場合には、連結部材４を支柱３から自転車Ｂとは反対側へ出っ張らせるとよい。
【００３５】
次に、自転車Ｂの前輪ＦＷ側を持ち上げて自転車Ｂを立てる。このとき、縦置きスタンドＳも、サドルＳＤを連結部材４に、ハンドルＨをフック２に引っ掛けたまま立て、一対の脚部３２を、自転車Ｂの後輪ＲＷの床面Ｆとの接触部Ｐよりも自転車ＢのサドルＳＤ側において、自転車Ｂの左右両側で床面Ｆに接触させる。このように縦置きスタンドＳが立てられると、自転車Ｂが縦置きの状態で縦置きスタンドＳに支持される。
【００３６】
なお、縦置きスタンドＳを立てる前に、自転車Ｂを安定して保持するために、自転車ＢのハンドルＨの高さに合わせてフック２の上下方向の位置を調整したり、一対の支柱３の間隔を変えて一対の脚部３２の間隔を調整したりするとよい。
【００３７】
以上のように構成された縦置きスタンドＳの作用および効果について説明する。
縦置きスタンドＳは、自転車Ｂの前輪ＦＷや後輪ＲＷを保持しなくても、自転車Ｂを縦置きの状態で保持することができるので、前輪ＦＷや後輪ＲＷに傷がつくのを抑えることができる。
【００３８】
また、縦置きスタンドＳは、左右両側のフック２で自転車ＢのハンドルＨを保持するので、前輪ＦＷ側を支持部材１に固定した状態で自転車Ｂを保持することができる。これにより、自転車Ｂを縦置きにしても自転車Ｂの前輪ＦＷ側がふらつかないので、縦置きスタンドＳによって自転車Ｂを安定して保持することができる。
【００３９】
そして、縦置きスタンドＳは、サドルＳＤを連結部材４に引っ掛けることで、サドルＳＤを支持部材１から離れないように支持することができる。これにより、自転車Ｂの後輪ＲＷが前に動こうとしても、自転車Ｂが支持部材１から離れないので、自転車Ｂが縦置きスタンドＳに対して前後に倒れるのを抑え、自転車Ｂを安定して保持することができる。
【００４０】
また、サドルＳＤを連結部材４に引っ掛けるだけでよいので、縦置きスタンドＳの自転車Ｂへの取り付けが容易である。
【００４１】
そして、ハンドルＨを保持するフック２の上下方向の位置を調整することができるので、自転車Ｂの大きさやハンドルＨの形状によらず、フック２をハンドルＨに引っ掛けることができる。
【００４２】
そして、フック２は左右方向の位置を調整可能であるので、ハンドルＨ周りにライトやメータ等のアタッチメントが取り付けられていても、このアタッチメントを避けた位置でフック２をハンドルＨに引っ掛けることができる。また、一対の支柱３を連結する連結部材４がフック２より低い位置に配置されているため、ハンドルＨ周りに取り付けられたアタッチメントに連結部材４が当たらない。このように、縦置きスタンドＳは、ハンドルＨ周りに取り付けられたアタッチメントが干渉しないように構成されているので、アタッチメントが取り付けられた自転車Ｂであっても保持することができる。
【００４３】
そして、縦置きスタンドＳは、一対の脚部３２が、下方に向かうにつれて互いに離れていくように設けられているので、本体部３１から鉛直下方に延びる形状である場合に比べて、後輪ＲＷからより離れた位置で脚部３２を立たせることができ、自転車Ｂの保持が安定する。
【００４４】
また、縦置きスタンドＳは、使用しないときに、連結部材４を支柱３から外して分解することができるので、コンパクトにして収納することができる。そして、支柱３が上下に分割可能である場合には、支柱３を分解することで、よりコンパクトに収納することができる。
【００４５】
また、縦置きスタンドＳは、縦置きスタンドＳのみで床面Ｆ上に立つための構成が不要であるので、構成が簡易であるとともに、縦置きスタンドＳの重量も軽減することができる。
【００４６】
以上、本発明の実施形態について説明したが、本発明は前記実施形態に限定されるものではない。具体的な構成については、本発明の趣旨を逸脱しない範囲で適宜変更が可能である。なお、以下の説明において、前記実施形態と略同様の構成要素については、同一符号を付し、その説明は省略する。
【００４７】
前記実施形態では、一対の支柱３を連結する連結部材４と、フック２が固定される固定部材５とが別部品であったが、スタンドの構成はこれに限定されるものではない。例えば、図３（ａ）に示すように、フック２は、連結部材４Ａに固定されていてもよい。
【００４８】
具体的に、連結部材４Ａは、一対の支柱３Ａの上端部同士を連結するように設けられている。そして、フック２は、連結部材４Ａの一対の支柱３Ａの間に配置される部分から横に突出している。
【００４９】
このような連結部材４Ａが設けられる縦置きスタンドＳ１においては、図３（ｂ）に示すように、一対の支柱３Ａの上端部に、連結部材４Ａが入ることができる孔３３を上下方向に並べて複数設けてもよい。このように孔３３を複数設けることで、連結部材４Ａを入れる孔３３を適宜変更することで、連結部材４Ａの上下方向の位置を調整することができる。
【００５０】
なお、連結部材４Ａが孔３３内で回転してフック２が揺動するのを抑えるため、連結部材４Ａを支柱３Ａに固定するための固定具４１が設けられているのが望ましい。この固定具４１としては、例えば、蝶ボルトを採用することができる。
【００５１】
そして、縦置きスタンドＳ１においては、サドルＳＤを引っ掛ける引っ掛け部材となるものがないので、移動抑制手段としてサドルＳＤを支持部材１Ａに固定するバンド６を備えていてもよい。バンド６は、その表面と端部に、互いに係合可能な面ファスナが設けられている。この縦置きスタンドＳ１では、図３（ａ）に示すように、バンド６を、サドルＳＤを巻き込みながら一対の支柱３Ａに架け渡すことで、サドルＳＤを支持部材１Ａから離れないように支持することが可能になっている。
【００５２】
前記実施形態では、一対の脚部３２が、下方に向かうにつれて互いに離れていくように設けられていたが、一対の脚部３２の構成はこれに限定されるものではない。例えば、図３（ａ）に示すように、脚部３２Ａは、支柱３Ａの本体部３１から鉛直下方に延び、一対の脚部３２Ａが平行になっていてもよい。
【００５３】
前記実施形態では、支持部材１が、一対の支柱３と、一対の支柱３を連結する連結部材４とを備えて構成されていたが、支持部材の構成はこれに限定されるものではない。例えば、図４（ａ）に示すように、支持部材１Ｂは、上下方向に延びる一本の支柱３Ｂと、固定部５Ｂと、一対の支柱３Ｂの下端に設けられた脚部７とから構成されていてもよい。
【００５４】
具体的に、支柱３Ｂは、長さ調整部３４によって接続された上下に並ぶ二本の円筒体から形成されている。この支柱３Ｂは、長さ調整部３４を緩めたり閉めたりすることで、上下方向の長さを変えたり、固定したりすることができるようになっている。
【００５５】
このように支柱３Ｂが一本しかない縦置きスタンドＳ２の場合、自転車ＢのサドルＳＤを支持部材１Ｂから離れないように支持する移動抑制手段として、上記変形例と同様なバンド６を備えるとよい。これにより、バンド６をサドルＳＤと支柱３Ｂに巻きつけることで、サドルＳＤを支持部材１Ｂに固定することができる。
【００５６】
また、バンド６でサドルＳＤを支持部材１Ｂに固定するようにすることで、サドルＳＤの位置によらずにサドルＳＤを固定することができる。そして、サドルＳＤが支持部材１Ｂから飛び出して大きく離れている場合には、バンド６で自転車Ｂのフレームの一部を支持部材１Ｂに固定することができる。
【００５７】
固定部５Ｂは、左右方向に延びる棒状部材であり、支柱３Ｂの長さ調整部３４より上の部分に固定されている。この固定部５Ｂには、左右一対のフック２が設けられている。このフック２は、支柱３Ｂの長さを変えることで、上下方向の位置を調整可能となっている。
【００５８】
脚部７は、左右方向に延びる棒状に形成され、左右方向における中央部が支柱３Ｂに溶接等により固定されている。この脚部７は、自転車Ｂの後輪ＲＷの床面Ｆとの接触部Ｐよりも自転車ＢのサドルＳＤ側において、自転車Ｂの左右両側で床面Ｆに接触する。
【００５９】
なお、支柱３Ｂの下端に設ける脚部はこれに限定されず、図４（ｂ）に示すように、支柱３Ｂの下端から下方に延びるにつれて互いに離れていくように延びる一対の脚部８であってもよい。
【００６０】
また、脚部８の下端部には、床面Ｆに接触する部分を覆うゴムからなるキャップ８１を取り付けてもよい。このように脚部８の床面Ｆに接触する部分にゴムを設けることで、脚部８が床面Ｆに対して滑りにくいので、自転車Ｂを床面Ｆ上に安定して立たせることができる。
【００６１】
前記実施形態では、支柱３の下端部のみが、下方に向かうにつれて左右方向外側へ延びるように設けられていたが、支柱の構成はこれに限定されるものではない。例えば、図５に示すように、支柱３Ｃの全体が、下方に向かうにつれて左右方向外側へ延びるように設けられていてもよい。
【００６２】
具体的に、縦置きスタンドＳ３を構成する支持部材１Ｃでは、真っ直ぐに延びる一対の支柱３Ｃが、下端が上端よりも開くようにＶの字状に配置されている。そして、一対の支柱３Ｃは、左右端が支柱３Ｃに固定された連結部材４Ｃによって固定されている。
【００６３】
この縦置きスタンドＳ３においては、支柱３Ｃの下端部が床面Ｆに接触する脚部３２Ｃとなっている。そして、左右一対の脚部３２Ｃは、下方に向かうにつれて互いに離れていくように設けられている。
【００６４】
また、縦置きスタンドＳ３においては、一対の支柱３Ｃの上端に固定された左右方向に延びる固定部材５Ｃに設け、この固定部材５Ｃに一対のフック２を設けてもよい。
【００６５】
なお、縦置きスタンドは、前記した縦置きスタンドＳ，Ｓ１，Ｓ２，Ｓ３が備える構成を組み合わせた構成であってもよい。
【符号の説明】
【００６６】
１      支持部材
２      フック
３      支柱
４      連結部材
３２    脚部
Ｓ      スタンド
【図１】
2016078614.tif 000003
【図２】
2016078614.tif 000004
【図３】
2016078614.tif 000005
【図４】
2016078614.tif 000006
【図５】
2016078614.tif 000007